(57)【要約】      （修正有）【課題】片手が不自由な方の場合であっても、化粧水や乳液等の化粧料を化粧料容器から塗布具に適量取り出して、簡便に化粧することが出来るようにした化粧補助具を提供する。【解決手段】取外し自在に設置し得る支柱２と、鉛直面内を回転可能とするように支柱２上端に枢着され化粧料容器Ｂを挟持する容器挟持手段３と、支柱２上部に配設される載置台４と、を備え、化粧料容器Ｂを容器挟持手段３によって挟持させて化粧料容器Ｂのキャップを開けた後、載置台４上に塗布具Ｃを載置して、容器挟持手段３で挟持したまま化粧料容器Ｂの吐出口Ｍを載置台４に向かって傾けて化粧料を塗布具Ｃに所望量取り出すことが出来るように構成される。【選択図】図３
0003146395.tif 000002
【実用新案登録請求の範囲】
【請求項１】
平滑面に取外し自在に設置し得る支柱と、上記支柱の上端に枢着され化粧料容器を挟持する容器挟持手段と、上記支柱の上部に配設される載置台とを備えた化粧補助具であって、上記容器挟持手段によって上記化粧料容器を挟持させながら蓋体を開放すると共に、上記載置台上には塗布具を載置し、上記化粧料容器を上記容器挟持手段で挟持したまま該化粧料容器の吐出口を上記載置台に向かって傾けながら該容器挟持手段を鉛直面内で回転させて、該化粧料容器に収容されている化粧料を該載置台上の塗布具に所望量取り出すことが出来るようにしたことを特徴とする化粧補助具。
【請求項２】
前記支柱は、一端に可撓性を有する可撓部を介して吸盤が配設され、該吸盤の吸着により、支柱を平滑面に対して立設することが出来るように構成されることを特徴とする請求項１記載の化粧補助具。
【請求項３】
前記容器挟持手段は、略コ字形に形成される挟持部と、この挟持部の両端にそれぞれ回転可能に互いに対向して設けられる吸盤とを備えることを特徴とする請求項１又は２に記載の化粧補助具。
【請求項４】
前記載置台は、天面の周縁に周回上にわたって立ち上がった土手部を有し、前記化粧料容器の前記吐出口から吐出させた前記化粧料が垂れ流れないように構成されることを特徴とする請求項１乃至３のいずれかに記載の化粧補助具
【請求項５】
前記支柱の上端には、該支柱に対して垂直に設けられる円筒状の枢着部を有し、この枢着部の内部に前記容器挟持手段の中央部分が挿通されて該容器挟持手段が鉛直面内を回転可能に前記支柱に結合されることを特徴とする請求項１乃至４のいずれかに記載の化粧補助具。
【請求項６】
前記載置台は、前記支柱上端に設けられる前記枢着部に対して、この枢着部を軸に回転可能となるように枢着されることを特徴する請求項５記載の化粧補助具。
【考案の詳細な説明】
【技術分野】
【０００１】
本考案は、容器に収容された化粧水や乳液等の化粧料を片手で容易に取り出しながら容易に化粧することが出来るようにした化粧補助具に関する。
【背景技術】
【０００２】
従来、化粧水や乳液等の化粧料が収容された化粧料容器は、上部に吐出口を有するボトル容器にキャップが螺合されている。そして、この種の化粧料容器に収容された化粧料を使用する際には、まずボトル型容器本体を片手で押さえ、予め他方の手で容器本体の上部に螺合されているキャップを回して取り外しておく。次いで、吐出口を一方の手のひらに置いた塗布具に向け、他方の手でボトル容器を２、３回振って容器内に収容されている化粧料を塗布具に取り出してから使用するという手順によってなされている。
【０００３】
しかしながら、片手が不自由な方の場合は、キャップを片手で開けたり閉めたりすることや塗布具に化粧料をしみ込ませることに手間がかかるため、より簡便に化粧をすることができる補助具の開発が望まれていた。
【０００４】
このような問題は、ネールエナメルを爪に塗布する際にも発生し、片手が不自由な方でも比較的容易にネールエナメルを塗布できるようにするために、出願人は、下記特許文献１に示す補助具の出願を行っているが、ネールエナメルの塗布に限定した補助具であって、化粧水や乳液には適用できないものであった。
【特許文献１】特開２００３−１２５８４５号公報
【考案の開示】
【考案が解決しようとする課題】
【０００５】
本考案は、上記問題点に鑑みてなされたものであり、片手の不自由な方であっても化粧水や乳液等の化粧料を、化粧料容器から塗布具に適量取り出して容易に化粧することが出来るようにする化粧補助具を提供せんとするものである。
【課題を解決するための手段】
【０００６】
上記課題を解決するために本考案が採った手段は、平滑面に取外し自在に設置し得る支柱と、上記支柱の上端に枢着され化粧料容器を挟持する容器挟持手段と、上記支柱の上部に配設される載置台とを備えた化粧補助具であって、上記容器挟持手段によって上記化粧料容器を挟持させながら蓋体を開放すると共に、上記載置台上には塗布具を載置し、上記化粧料容器を上記容器挟持手段で挟持したまま該化粧料容器の吐出口を上記載置台に向かって傾けながら該容器挟持手段を鉛直面内で回転させて、該化粧料容器に収容されている化粧料を該載置台上の塗布具に所望量取り出すことが出来るようにしたことを特徴とする。
【０００７】
前記支柱は、一端に可撓性を有する可撓部を介して吸盤が配設され、該吸盤の吸着により、支柱を平滑面に対して立設することが出来るように構成されることを特徴とする。  
【０００８】
前記容器挟持手段は、略コ字形に形成される挟持部と、この挟持部の両端にそれぞれ回転可能に互いに対向して設けられる吸盤とを備えることを特徴とする。
【０００９】
前記載置台は、天面の周縁に周回上にわたって立ち上がった土手部を有し、前記化粧料容器の前記吐出口から吐出させた前記化粧料が垂れ流れないように構成されることを特徴とする。
【００１０】
前記支柱の上端には、該支柱に対して垂直に設けられる円筒状の枢着部を有し、この枢着部の内部に前記容器挟持手段の中央部分が挿通されて該容器挟持手段が鉛直面内を回転可能に前記支柱に結合されることを特徴とする。
【００１１】
前記載置台は、前記支柱上端に設けられる前記枢着部に対して、この枢着部を軸に回転可能となるように枢着されることを特徴する。
【考案の効果】
【００１２】
この考案によれば、机やテーブルの平滑面に、支柱下端に設けられた吸盤で支柱を設置し、支柱上端に枢着された容器挟持手段の両端に回転可能に互いに対向して取り付けられた吸盤で化粧料容器の外周面を挟み込むように吸着させ、この状態で化粧料容器の蓋を開け、支柱上端に枢着された載置台上に塗布具を載置しつつ、容器挟持手段によって挟持させたまま化粧料容器の吐出口を該塗布具に向け、化粧料容器を傾けて塗布具上に化粧料を所望量取り出すことが出来るように構成したことにより、片手が不自由な方でも化粧水や乳液等の化粧料を化粧料容器から塗布具に適量取り出して化粧することが出来る。
【考案を実施するための最良の形態】
【００１３】
この考案の好ましい実施の形態を、以下に添付図面を参照しながら詳細に説明する。本実施態様の化粧補助具(１)は、化粧水や乳液等の化粧料が収容された化粧料容器(Ｂ)から片手(Ｈ)のみを使用して化粧料を塗布具(Ｃ)に所望量取り出して化粧することが出来るように、化粧料容器(Ｂ)の開蓋作業から収容された化粧料の塗布具(Ｃ)への取り出し、そして化粧料容器(Ｂ)の閉蓋作業までの一連の作業を補助するものである。
【００１４】
本実施態様の化粧補助具(１)は、図１に示すように、平滑面に取外し自在に設置し得る支柱(２)と、化粧料容器(Ｂ)を挟持する容器挟持手段(３)と、支柱(２)の上部に配設される載置台(４)とを備える。
【００１５】
支柱(２)は、剛性を有する適宜の長さに設定された棒状の支柱本体(201)を有し、この支柱本体(201)の下端には可撓性を有する可撓部(202)を介して吸盤(203)が配設される。支柱本体(201)の上端には、支柱本体(201)と直交する方向に円筒状の枢着部(204)が形成されている。この枢着部(204)の内部には、容器挟持手段(３)の中央部分が挿通され、容器挟持手段(３)を鉛直面内において回転可能となるように構成される。支柱本体(201)の上端に設けられる枢着部(204)の上部には、載置台(４)がこの枢着部(204)を回転軸とするように枢着される。
【００１６】
容器挟持手段(３)は、略コ字形に形成される挟持部(301)(301)と、これら挟持部(301)(301)の両端にそれぞれベアリング(302)(302)を介して回転可能に、互いに対向して設けられる吸盤(303)(303)とを備える。挟持部(301)と挟持部(301)の間隔は、両端に設けられた吸盤(303)(303)間に化粧料容器(Ｂ)を置いた際に、これらの吸盤(303)(303)間の距離が弾力的に元の位置に戻ろうとして付勢されるように、一般的な化粧料容器(Ｂ)の直径よりも幾分狭くなるように設定される。挟持部(301)と挟持部(301)とを結ぶ中央部分(304)は、支柱(２)上部に位置する枢着部(204)に挿通され、挟持部(301)(301)の先端に配設される吸盤(303)(303)が鉛直面内を回転することが出来るように構成される。
【００１７】
載置台(４)は、塗布具(Ｃ)を載置するための円形の平板部(401)と、この平板部(401)の周縁に周回上にわたって形成される土手部(402)と、平板部(401)の周縁に周回上にわたって垂設され略円筒状をなす筒状部(403)とを有する。この筒状部(403)には、それぞれ切欠部(404)(404)が形成され、これらの切欠部(404)(404)が支柱(２)の上部に設けられた枢着部(204)に対して回転可能に枢着されている。更に、筒状部(403)には、枢着部(204)が枢着された部位に対して垂直する位置に、支柱本体(201)が入り込む切欠部(405)が形成され、当該化粧補助具(１)を机やテーブル等の天板のような水平な平滑面ではなく、壁に取り付けられた鏡面や窓ガラス或いは平らな壁面等の鉛直な平滑面に対しても支柱(２)の一端に設けられた吸盤(203)を吸着させながら載置台(４)を水平に保って使用することが出来るように構成される。
【００１８】
本実施態様の化粧補助具(１)を使用する場合には、まず支柱(２)の下端に設けられている吸盤(203)を机の天板等のような平滑面に吸着させて支柱(２)を平滑面に対して立設させる。次に、容器挟持手段(３)を平滑面に対して略平行となるように鉛直面内を適宜回動させ、化粧料容器(Ｂ)を平滑面に置きながら容器挟持手段(３)の両端に設けられた両吸盤(303)(303)間に位置させる。この際、略コ字形をなす容器挟持手段(３)の挟持部(301)(301)は、化粧料容器(Ｂ)の太さのために若干両吸盤(303)(303)間の距離が広げられ、その分、両吸盤(303)(303)間の距離を縮めようと付勢され、化粧料容器(Ｂ)を挟持する。この状態で化粧料容器(Ｂ)の外周面に、容器挟持手段(３)の両吸盤(303)(303)を吸着させる。
【００１９】
この状態における化粧料容器(Ｂ)は、図２に示すように、片手(Ｈ)で化粧料容器(Ｂ)を保持しているのとほぼ同等の状態となるので、片手(Ｈ)で化粧料容器(Ｂ)の上部に螺合されて閉蓋状態になっているキャップ(Ｓ)を回転させて取り外しておくことが出来る。
【００２０】
次いで、載置台(４)に塗布具(Ｃ)を載置する。この状態で、図３に示すように、化粧料容器(Ｂ)の下端部分を使用可能な片手(Ｈ)で保持し、化粧料容器(Ｂ)の上端の吐出口(Ｍ)を載置台(４)上に載置された塗布具(Ｃ)に向けて、化粧料容器(Ｂ)を持ち上げながら傾ける。この際、容器挟持手段(３)は、支柱(２)に対して回転可能に枢着され、且つ、挟持部(301)(301)の両端に設けられている吸盤(303)(303)が、ベアリング(302)(302)を介して回転可能になっているために、無理なく容易に化粧料容器(Ｂ)を傾けることが出来るようになっている。こうして載置台(４)上に載置された塗布具(Ｃ)に対して、化粧料容器(Ｂ)内に収容されていた化粧料を所望量吐出させて化粧することが出来る。尚、載置台(４)は、平板部(401)の周縁上部に、周回上にわたって土手部(402)が形成されているために、少し多めに化粧料を吐出してしまっても載置台から垂れ流れることを防止できる。
【図面の簡単な説明】
【００２１】
【図１】本実施態様の化粧補助具の構成を示す斜視図
【図２】化粧料容器を挟持している状態を示す斜視図
【図３】載置台上の塗布具に化粧料を吐出させる状態を示す斜視図
【符号の説明】
【００２２】
１  化粧補助具
２  支柱
201  支柱本体
202  可撓部
203  吸盤
204  枢着部
３  容器挟持手段
301  挟持部
302  ベアリング
303  吸盤
304  中央部分
４  載置台
401  平板部
402  土手部
403  筒状部
404  切欠部
405  切欠部
Ｂ  化粧料容器
Ｈ  片手
Ｃ  塗布具
Ｓ  キャップ
Ｍ  吐出口
【図１】
0003146395.tif 000003
【図２】
0003146395.tif 000004
【図３】
0003146395.tif 000005